(57)【要約】【課題】通常運転時においては、効率よくオゾンを発生し、最も安全が問題となる保護電流運転時には、陰極では、水素ガスを発生させず、陽極で発生するオゾンガスへの水素ガスの混入を防ぎ、オゾンガス純度を改善し、長期間安全に電解を行うことのできるオゾン発生装置の運転方法及びオゾン発生装置の提供。【解決手段】オゾン発生装置の通常運転時には、前記陽極室内の前記陽極よりオゾンガス、前記陰極室内の前記陰極より水素ガスを発生させ、前記オゾン発生装置の運転停止時に前記陽極保護のため微小電流を供給する保護電流運転時のみ、前記陰極室内の電解水及び水素ガスを全て排出した後、前記陰極室内に酸素含有ガスを供給し、前記陰極をガス電極として酸素還元反応を行わせ、前記陰極をガス発生電極及びガス電極の両方の機能を備えた可逆電極として使用することを特徴とするオゾン発生装置の運転方法及びオゾン発生装置である。【選択図】図２
2010111942.tif 000002
【特許請求の範囲】
【請求項１】
陽イオン交換膜からなる固体高分子電解質隔膜の一方の側面に、オゾン発生用の陽極を密着させ、その前面に陽極室を形成し、他方の側面に水素発生用の陰極を密着させ、その前面に陰極室を形成したオゾン発生装置において、前記オゾン発生装置の通常運転時に、前記陽極室内の前記陽極よりオゾンガス、前記陰極室内の前記陰極より水素ガスを発生させ、前記オゾン発生装置の運転を停止し前記陽極保護のため微小電流を供給する保護電流運転時のみに、前記陰極室内の電解水及び水素ガスを全て排出した後、前記陰極室内に酸素含有ガスを供給し、前記陰極をガス電極として酸素還元反応を行わせ、前記陰極をガス発生電極及びガス電極の両方の機能を備えた可逆電極として使用することを特徴とするオゾン発生装置の運転方法。
【請求項２】
前記オゾン発生装置の運転を停止し前記陽極保護のため微小電流を供給する保護電流運転時のみに、前記陰極室内に純水、空気又は不活性ガスを供給して、前記陰極室内の電解水及び水素ガスを全て純水、空気又は不活性ガスと置換した後、前記陰極室内に酸素含有ガスを供給する請求項１に記載のオゾン発生装置の運転方法。
【請求項３】
前記陰極が、白金又は白金担持カーボン粒子をフッ素樹脂含有樹脂中に分散させた導電性多孔質構造体よりなる請求項１に記載のオゾン発生装置の運転方法。
【請求項４】
前記陽極が、二酸化鉛を含む陽極触媒を表面に含有する多孔質金属板又は金属繊維焼結体よりなる導電性多孔質構造体よりなる請求項１に記載のオゾン発生装置の運転方法。
【請求項５】
陽イオン交換膜からなる固体高分子電解質隔膜の一方の側面に、オゾン発生用の陽極を密着させ、その前面に陽極室を形成し、他方の側面に水素発生用の陰極を密着させ、その前面に陰極室を形成したオゾン発生装置において、前記陰極を可逆電極として使用し、前記オゾン発生装置の通常運転時においては、ガス発生電極として使用し、前記オゾン発生装置の運転を停止し前記陽極保護のため微小電流を供給する保護電流運転時においては、ガス電極として使用し、請求項１に記載の運転方法を実施することを特徴とするオゾン発生装置。
【請求項６】
前記陰極が、白金又は白金担持カーボン粒子をフッ素樹脂含有樹脂中に分散させた導電性多孔質構造体よりなる請求項５に記載のオゾン発生装置。
【請求項７】
前記陽極が、二酸化鉛を含む陽極触媒を表面に含有する多孔質金属板又は金属繊維焼結体よりなる導電性多孔質構造体よりなる請求項５に記載のオゾン発生装置。
【発明の詳細な説明】
【技術分野】
【０００１】
本発明は、陽イオン交換膜からなる固体高分子電解質隔膜の両側面に陽極及び陰極を密着させることで水電解を行い、陽極よりオゾン、陰極より水素を発生させるオゾン発生装置に関し、陰極で発生した水素ガスが陽イオン交換膜を経て陽極に透過する現象、特に、オゾン発生装置の運転停止時における保護電流運転下に電解セルより排出される陽極ガスの純度悪化を改善し、長期間安全に運転を行うことを可能にするオゾン発生装置の運転方法及びオゾン発生装置に関するものである。
【背景技術】
【０００２】
陽極及び陰極を陽イオン交換膜からなる固体高分子電解質隔膜の両側に密着させることで構成した電解装置は、導電性が低く通常の電解方法では電解できない純水の直接電解を可能とし、電解電圧の低下による使用電力の低減、装置の小型化等が達成される利点がある。このことから、この種の電解装置は、優れた省エネルギー電解システムとして広く使用されており、電解による酸素・水素発生用の水電解装置として実用化されている。また、フッ素系イオン交換膜を特異な性質を有する電解質として利用し、純水を原料とするオゾン発生装置としても実用化されている。
このようなオゾン発生装置において、陽イオン交換膜と電極触媒、及び電極触媒と集電体の接合方法は、本電解システムの利点を有効に利用するために重要であり、大別して２つのタイプがある。
【０００３】
第１のタイプは、陽イオン交換膜表面に直接電極触媒を担持させたタイプであり、この方法は陽イオン交換膜表面に金属塩を吸着させた後、還元剤と接触させて金属を陽イオン交換膜表面に直接析出させる方法である。
【０００４】
第２のタイプは、集電体表面に電極触媒を担持させたタイプであり、第１のタイプで認められる欠点はなく、電極触媒の選択が広く行え、厚さ数十μｍに及ぶ厚い電極触媒層も作製可能である。担持方法としては、電解めっきやＣＶＤ、スパッタ等の方法を用いて集電体上に直接金属や金属酸化物からなる電極触媒層を担持する方法、電極触媒粉を樹脂や有機溶媒と混合してペースト状にし、これを集電体表面に塗布して乾燥させ電極触媒層を担持する方法、金属塩溶液を集電体上に塗布した後、熱分解を行い金属酸化物からなる電極触媒層を担持する方法等がある。
【０００５】
第１及び第２のいずれかの方法によって、陽イオン交換膜と電極触媒、又は電極触媒と集電体を接合して構成された水電解装置を用いて、純水のような比抵抗の大きい液体の電解を行うと、電解反応は陽イオン交換膜／電極触媒／液体の３相が接する界面（三相界面）において主に進行する。例えば、陽極の電極触媒にイリジウム、陰極の電極触媒に白金担持カーボンを用いた場合、陽極では酸素発生反応、陰極では水素発生反応がそれぞれの三相界面において進行する。
【０００６】
気泡は三相界面にてある程度の大きさに成長した後、三相界面から集電体内部を通過して電解セル外に排出されるが、気泡が三相界面に存在している間に気泡内圧力を駆動力とする濃度拡散により発生ガスの一部は、陽イオン交換膜を通過して対極へ移動する。例えば、ゼロギャップ水電解装置において、陰極触媒／陽イオン交換膜／水の三相界面で発生した水素が、陽イオン交換膜を通過して対極である陽極まで達し、酸素ガスに混合されて電解セル外へ排出される現象である。
【０００７】
発生ガスが対極へ移動することは、発生ガス純度の低下や発生ガス電流効率の低下といった水電解装置の性能低下現象を引き起こす。更に、オゾン・酸素・水素発生を行っている水電解装置においては対極ガス移動により水素の爆発下限界（水素が４．６５体積％、酸素中）を超えた水素・酸素・オゾン混合ガスが生成する可能性があるため、水電解装置の安全な稼動のためには対極ガス混入を監視する機器や運用上の注意が必要となる。
【０００８】
気泡のサイズと液体の表面張力の関係はＹｏｕｎｇ−Ｌａｐｌａｃｅ式  Ｐｇ−Ｐｌ＝２γ／ｒ（Ｐｇ：気泡内圧力、Ｐｌ：液体圧力、γ：液体の表面張力、ｒ：気泡半径）で示される。本式によれば、液体圧力が一定の場合、気泡径が小さいほど平衡となる気泡内圧力は増加するため、対極へのガス透過駆動力が増加することがわかる。
【０００９】
この関係によって、陽イオン交換膜を透過するガス量は電極から発生するガス量には直接影響を受けず、三相界面に生成する微小な気泡の内圧及び気泡と陽イオン交換膜との接触面積に依存すると考えられる。従って、保護電流運転下であっても通常運転である高電流密度下と三相界面数及びガスが発生するサイト数は同じであるため通常運転時と同様に微細気泡は発生し、同量のガス量が陽イオン交換膜を透過する。更に低電流密度下では電極からの発生ガス量も少ないため、陽イオン交換膜を透過したガスは希釈されずに高電流密度下よりも高濃度で電解セルから排出される。特に、オゾン・酸素・水素発生装置においては、発生ガスが爆鳴気となる可能性があった。
【００１０】
保護電流とは、電解装置停止時において、電極を腐食や変質から防ぎ、電極性能を維持する目的で電解セルに通電する電流を指し、通常、電解時の１／５０〜１／１０００程度の電流値の電流を供給する。例えば、陽極に二酸化鉛（ＰｂＯ2）を使用している電解オゾン発生装置において、保護電流を供給せずに装置停止した場合は、陰極から陽イオン交換膜を通過して陽極に達した水素による還元や、陽極構成材料との接触により構成される局部電池による還元反応の進行などにより、二酸化鉛は還元されてオゾン発生能力及び導電性がほとんどない酸化鉛（ＰｂＯ）や鉛（Ｐｂ）に変化或いは鉛イオンとなって液中に溶出し、陽極からのオゾン発生能力が低下する問題がある。一般的には、電解装置停止中にこれら腐食反応を抑制するために、対象となる電極に保護電流を供給し、腐食が発生しない電極電位を保持することが行われている。
【００１１】
そこで、本発明者らは、電解によって発生する陽極ガスの純度を改善し、特にオゾン発生装置の運転停止時の保護電流運転下においても、安全に運転できるオゾン発生装置を得るために、陽イオン交換膜を通過する対極ガス量を抑制することを目的として、陰極のガス電極検討を行った。
【００１２】
その結果、本発明者らは、特許文献１に記載のように、陰極として、親水性と疎水性を有するガス電極を用い、しかも常時、陰極に酸素含有ガスを供給することにより、陰極での水素発生を抑制し、陽極発生ガスとしてのオゾンガス中に対極ガスである水素ガスが混入しないことを見出し、又、電解によるオゾン発生のように高電流密度且つ６０℃以下の低温においても安全に稼動できることを可能とした。
【００１３】
特許文献１において使用できるガス電極としては、固体高分子電解質型燃料電池向けにプロトンの酸素還元反応（Ｏ2＋４Ｈ+＋４ｅ-→２Ｈ2Ｏ）を行う目的で開発されている貴金属触媒担持型電極を用いることができる。
【先行技術文献】
【特許文献】
【００１４】
【特許文献１】特開平５−２５５８７９号公報
【発明の概要】
【発明が解決しようとする課題】
【００１５】
しかし、特許文献１に記載の方法については、通常運転時においても、常に、装置の陰極に酸素含有ガスを大量に供給する必要があり、ＰＳＡなどの酸素供給機構が必要となり、装置が過大になる問題がある。また、水電解によってオゾンを発生させる電解方法においては、オゾンの自己分解を抑制するために電解セル及び電解液の温度を３０℃付近に保つこと、また電解電流密度としては１Ａ／ｃｍ2以上が電力原単位が最も低いことから商業的にはこれら電解条件を用いることが一般的であるが、これら電解条件は、固体高分子電解質型燃料電池等で使用される酸素還元を目的としたガス電極の一般的な作動条件とはかけ離れている。
【００１６】
固体高分子電解質型燃料電池においては、発電効率を上げるためにセル抵抗を下げた運転が望まれ、固体高分子電解質の電気抵抗を下げるために９０℃前後まで運転温度を上げる運転方法が一般的である。運転温度を上げることは同時に水蒸気圧が高い雰囲気で電極を稼動することとなり、酸素還元によって発生する水や固体高分子電解質膜に電気伝導度を与えるため水の排出や供給は水蒸気で行うことが前提となる。燃料電池における反応物質である酸素や水素と同様に、水を水蒸気として扱うことは、ガス電極の反応物質供給路である拡散層はガス通過性能のみを有しておけばよいこととなる。
【００１７】
一方、水電解によるオゾン発生においては、セルや電解液などの雰囲気温度は３０℃程度であり、水蒸気圧が小さいため殆どの水は液体として存在する。このため、一般のガス電極を使用した場合、長期運転時は水蒸気が凝結して生成した液滴が拡散層のガス供給チャネルを閉塞するため、反応物質である酸素ガスが反応場である電極表面の三相界面に供給されにくくなり、長期的には、ガス電極として作動しなくなる可能性がある。
【００１８】
電解オゾン生成の標準的な電流密度である１Ａ／ｃｍ2は、現在の燃料電池等に使用されている酸素還元用ガス電極としては上限に近い電流密度である。また、電解オゾン発生セルの電解時の温度条件であるが、高効率でオゾンを発生させるためには電解液温度３０℃程度が最適であり、燃料電池の稼動温度に比較して低い温度である。従って前述したように電解オゾン発生セルにおいて燃料電池用のガス電極を使用した場合、長期的には、水の凝縮により電極表面から電極背面への物質の移動経路が水没して電解反応場である電極表面の三相界面に、反応物質である酸素ガスが十分に供給されない現象が発生し、更に凝縮量が増加すれば、三相界面自体も液体である水に没する。従って電流密度が高く稼動温度が低い電解によるオゾン生成セルにおいて、通常電解に酸素還元用ガス陰極を適用した場合、長期稼動においては安定な稼動が期待できないといえる。
【００１９】
即ち、特許文献１に記載のオゾン発生装置においては、通常運転時においても、常時、陰極に酸素含有ガスを供給し、陰極を常時ガス電極として使用しているため、長期的に安定した運転ができないという欠点を有している。
【課題を解決するための手段】
【００２０】
本発明は、上記の課題を解決するため、陽イオン交換膜からなる固体高分子電解質隔膜の一方の側面に、オゾン発生用の陽極を密着させ、その前面に陽極室を形成し、他方の側面に水素発生用の陰極を密着させ、その前面に陰極室を形成したオゾン発生装置において、前記オゾン発生装置の通常運転時に、前記陽極室内の前記陽極よりオゾンガス、前記陰極室内の前記陰極より水素ガスを発生させ、前記オゾン発生装置の運転を停止し前記陽極保護のため微小電流を供給する保護電流運転時のみに、前記陰極室内の電解水及び水素ガスを全て排出した後、前記陰極室内に酸素含有ガスを供給し、前記陰極をガス電極として酸素還元反応を行わせ、前記陰極をガス発生電極及びガス電極の両方の機能を備えた可逆電極として使用することを特徴とするオゾン発生装置の運転方法を構成したことにある。
【００２１】
また、第２の課題解決手段は、前記オゾン発生装置の運転方法において、前記オゾン発生装置の運転を停止し前記陽極保護のため微小電流を供給する保護電流運転時のみに、前記陰極室内に純水、空気又は不活性ガスを供給して、前記陰極室内の電解水及び水素ガスを全て純水、空気又は不活性ガスと置換した後、前記陰極室内に酸素含有ガスを供給することにある。
【００２２】
また、第３の課題解決手段は、前記オゾン発生装置の運転方法において、前記陰極が、白金又は白金担持カーボン粒子をフッ素樹脂含有樹脂中に分散させた導電性多孔質構造体により構成したことにある。
【００２３】
また、第４の課題解決手段は、前記オゾン発生装置の運転方法において、前記陽極が、二酸化鉛を含む陽極触媒を表面に含有する多孔質金属板又は金属繊維焼結体よりなる導電性多孔質構造体により構成したことにある。
【００２４】
また、第５の課題解決手段は、陽イオン交換膜からなる固体高分子電解質隔膜の一方の側面に、オゾン発生用の陽極を密着させ、その前面に陽極室を形成し、他方の側面に水素発生用の陰極を密着させ、その前面に陰極室を形成したオゾン発生装置において、前記陰極を可逆電極として使用し、前記オゾン発生装置の通常運転時においては、ガス発生電極として使用し、前記オゾン発生装置の運転を停止し前記陽極保護のため微小電流を供給する保護電流運転時においては、ガス電極として使用し、前記本発明の運転方法を実施することを特徴とするオゾン発生装置を構成したことにある。
【００２５】
また、第６の課題解決手段は、前記オゾン発生装置において、前記陰極が、白金又は白金担持カーボン粒子をフッ素樹脂含有樹脂中に分散させた導電性多孔質構造体により構成したことにある。
【００２６】
また、第７の課題解決手段は、前記オゾン発生装置において、前記陽極が、二酸化鉛を含む陽極触媒を表面に含有する多孔質金属板又は金属繊維焼結体よりなる導電性多孔質構造体により構成したことにある。
【発明の効果】
【００２７】
本発明によるオゾン発生装置の運転方法及びオゾン発生装置によれば、通常運転時においては、陽極ガス中に対極ガスである水素は少量混入するものの、最も安全性が問題となる保護電流運転時には、陽極ガス中の水素及び陰極で発生する水素をゼロにできるため安全である。また、陰極は、通常運転時では、水素発生、保護電流運転時には酸素還元を行う可逆電極であるが、酸素還元を行う保護電流運転時においては、通常電解時の１／５０〜１／１０００の電流値なので、反応物質である酸素ガスのガス電極の三相界面への供給必要量も少なく、簡易な置換及び供給方法で十分に稼動する。
【図面の簡単な説明】
【００２８】
【図１】本発明によるオゾン発生装置の運転方法及びオゾン発生装置に使用する電解セルの一例を示す全体図。
【図２】本発明によるオゾン発生装置の運転方法及びオゾン発生装置の一態様を示す全体図。
【発明を実施するための形態】
【００２９】
以下、本発明によるオゾン発生装置の運転方法及びオゾン発生装置について、図面を参照しつつ、詳細に説明する。
【００３０】
図１は、本発明によるオゾン発生装置の運転方法及びオゾン発生装置に使用する電解セルの一態様を示す図面であり、電解セル８は、陽イオン交換膜からなる固体高分子電解質隔膜１の一方の側面に、オゾン発生用の陽極触媒を導電性多孔質構造体に担持させてなるオゾン発生用の陽極２が密着され、その前面に陽極集電体又は陽極基体３が設けられ、前記陽極集電体又は陽極基体の前面に陽極室６が形成されている。陽イオン交換膜からなる固体高分子電解質隔膜１の他方の側面に水素発生用の陰極触媒を導電性多孔質構造体に担持させてなる水素発生用の陰極４が密着され、その前面に陰極集電体又は陰極基体５を設け、前記陰極集電体又は陰極基体５の前面に陰極室７が形成されている。
【００３１】
本発明の電解装置においては、陽イオン交換膜からなる固体高分子電解質隔膜１は、従来から知られている陽イオン交換膜が広く使用できるが、特にスルホン酸基を有し、化学安定性に優れるパーフルオロスルホン酸陽イオン交換膜が好適である。固体高分子電解質隔膜１の陽極側面には、オゾン発生用の陽極触媒を導電性多孔質構造体に担持させてなるオゾン発生用の陽極２を密接し、その表面に陽極集電体又は陽極基体３を密接して配置される。陽極集電体又は陽極基体３は、導電性を有し、また酸化に対して耐食性があり、且つ発生ガスの放出及び電解液の流通が十分可能な構造のものが使用でき、例えば、チタン、タンタル、ニオブ、ジルコニウム等の金属を基材とした多孔体、網状体、繊維体、発泡体が使用できる。オゾン発生用の陽極２を構成するオゾン発生用の陽極触媒としては、例えば二酸化鉛等の酸素過電圧の高い物質が使用できる。
【００３２】
前記オゾン発生用の陽極２は、二酸化鉛等の酸素過電圧の高い物質をフッ素樹脂含有樹脂中に分散させた後、導電性多孔質構造体に担持させて形成し、この陽極２を陽極集電体又は陽極基体３に塗布法やホットプレス法で担持させている。
前記導電性多孔質構造体としては、フッ素樹脂を用いて多孔質構造体を作り、これにカーボンや金属繊維などの導電性粒子を混合し、導電性を付与して製作する。このフッ素樹脂としては、各種のフッ素樹脂が使用できるが、ポリテトラフルオロエチレン（ＰＴＦＥ）が好ましい。また、前記導電性多孔質構造体としては、多孔質金属板又は金属繊維焼結体を用いることができ、その表面に、前記陽極触媒を電解めっき法や、熱分解法、塗布法、ホットプレス法等で担持することもできる。
尚、陽極２は、前記導電性多孔質構造体を使用しないで、前記陽極触媒をフッ素樹脂やナフィオン液等のバインダー成分と混合し、シート状に成形して使用することもできる。また、オゾン発生用の陽極２を構成するオゾン発生用の陽極触媒としては、二酸化鉛の代わりに導電性ダイヤモンドを用いることができる。この場合、導電性多孔質構造体が不要となり、更には、陽極集電体又は陽極基体３も用いないでもよい。
【００３３】
また、前記陽極２は、陽極集電体又は陽極基体３へ担持させる代わりに、前記固体高分子電解質隔膜１の表面にホットプレス法により密着接合することもできる。
【００３４】
固体高分子電解質隔膜１の陰極側面には、表面に陰極触媒を含有する陰極４が担持された陰極集電体又は陰極基体５が密接して配置される。陰極集電体又は陰極基体５としては、ペーパーやウェブ状とした炭素繊維体や、ニッケル、ステンレス鋼、ジルコニウム等の陽極集電体又は陽極基体と同様の多孔体が使用できる。陰極４を構成する陰極触媒としては、水素過電圧の低い白金、白金黒、白金担持カーボンが望ましい。
【００３５】
陰極４は、前記陰極触媒をフッ素樹脂含有樹脂中に分散させた多孔質構造体よりなり、陰極集電体又は陰極基体５や基材に塗布法やホットプレス法で担持でき、またフッ素樹脂やナフィオン液等のバインダー成分と混合し、シート状に成形して使用することもできる。その際、陰極４を構成する前記陰極触媒の表面を疎水化し、特に疎水性が高いポリテトラフルオロエチレン（以下、ＰＴＦＥともいう。）の分散体が最表面に有効に機能するように、組成を配合し、構成配置することにより、水電解装置の構成を大きく変えることなく、ガスの透過を大幅に抑制し、ガス純度と電流効率を改善することもできる。
前記導電性多孔質構造体としては、フッ素樹脂を用いて多孔質構造体を作り、これにカーボンや金属繊維などの導電性粒子を混合し、導電性を付与して製作する。このフッ素樹脂としては、各種のフッ素樹脂が使用できるが、ポリテトラフルオロエチレン（ＰＴＦＥ）が好ましい。また、前記導電性多孔質構造体としては、多孔質金属板又は金属繊維焼結体を用いることができ、その表面に、前記陰極触媒を電解めっき法や、熱分解法、塗布法、ホットプレス法等で担持することもできる。
更に、陰極４は、前記多孔質構造体を使用しないで、前記陰極触媒をフッ素樹脂やナフィオン液等のバインダー成分と混合し、シート状に成形して使用することもできる。また、陰極集電体又は陰極基体５を用いないでもよい。
【００３６】
尚、前記陰極４は、陰極集電体又は陰極基体５へ担持させる代わりに、前記固体高分子電解質隔膜１の表面にホットプレス法により密着接合することもできる。
【００３７】
図２は、本発明によるオゾン発生装置の運転方法及びオゾン発生装置の一態様を示す図面であり、電解セル８には、通常電解用直流電源Ｅ１と保護電流用直流電源Ｅ２が接続されている。９は、電解セル８の陽極室６に純水を供給するパイプ、１０は、電解セル８の陰極室７に酸素又は空気を供給するパイプ、１１は、電解セル８の陰極室７に純水を供給するパイプ、Ｖ１は、酸素又は空気の切替バルブ、Ｖ２は、純水の切替バルブである。１２は、陰極室７の上部に設けられた気液分離装置、１３は、酸素又は空気の排出パイプ、１４は、水素の排出パイプ、Ｖ３は、酸素又は空気の排出の切替バルブ、Ｖ４は、水素の排出の切替バルブである。Ｓ１は、タイマ機能を有する制御装置であり、Ｅ１、Ｅ２、Ｖ１、Ｖ２、Ｖ３、Ｖ４の動作を制御するものである。
尚、酸素又は空気を供給するパイプ１０及び酸素又は空気の排出パイプ１３は、前記陰極室内の電解水（移行水）及び水素ガスを全て排出するための、空気又は不活性ガスの供給パイプ、空気又は不活性ガスの排出パイプとしても使用される。このとき、電解水（移行水）は、パイプ１５より排出され、水素ガスは、パイプ１４より排出される。尚、純水を使用して前記陰極室内の電解水及び水素ガスを全て排出する場合、純水を供給パイプ１１より陰極室に供給し、パイプ１５より排出される。
【００３８】
次に、本発明によるオゾン発生装置の運転方法及びオゾン発生装置について詳述する。
【００３９】
Ａ）先ず、通常運転時の動作について説明する。電解条件としては、電極面積を、１００ｃｍ2、通常電解電流密度を、１Ａ／ｃｍ2として運転した。
（１）通常電解用直流電源Ｅ１から１００Ａの電流が電解セル８に供給される。
（２）同時に、保護電流用直流電源Ｅ２からも１Ａの電流が電解セルに供給される。
（３）＋側には、パイプ９より純水が供給され、陽極室６からは酸素とオゾンの混合ガスが排出される。
（４）水素イオンと移行水は、電解によって陽極室６から陰極室７へ移動する。
（５）この通常運転時において、水素イオンは、陰極反応により陰極４で水素ガスとなる。
（６）陰極室７からは、水素と電解水（移行水）が排出され、気液分離装置１２にて分離される。
（７）陰極室７にラインから供給されるものはなく、Ｖ１、Ｖ２とも閉となっており、Ｖ４は開でＶ３は閉となっている。
従って、通常運転時においては、陰極４は、水素ガス発生陰極として作動し、陰極４より水素ガスが発生する。
【００４０】
Ｂ）次いで、運転停止時の動作について説明する。
（１）運転停止においては、制御装置Ｓ１によりＥ１を停止し、Ｅ２のみを運転したままとする。
（２）次いで、Ｖ２を開き、パイプ１１より純水を陰極室７に供給し、陰極室７内の水素ガス及び電解水を追い出す。
（３）次に、所定時間経過後、Ｖ２を閉じ、Ｖ１を開いてパイプ１０より酸素又は空気を陰極室７に供給する。Ｖ１を開くのと同時に、Ｖ４を閉じてＶ３を開く。
（４）停止時動作完了。
従って、運転停止時においては、陰極４は、ガス陰極として作動し、陰極４より水素ガスは発生しない。
【００４１】
Ｃ）更に、再稼動について説明する。
（１）Ｖ１を閉じて、Ｖ２を開き、純水をパイプ１１より陰極室７に供給し、陰極室７内の酸素・空気を追い出す。
（２）次いで、所定時間経過後Ｖ２を閉じ、同時にＶ３を閉じて、Ｖ４を開く。
（３）通常電解用直流電源Ｅ１から１００Ａの電流を電解セル８に供給する。
従って、再稼動後は、通常運転時の状態に戻り、陰極４は、再び水素ガス発生陰極として作動し、陰極４より水素ガスが発生する。
【００４２】
以上説明したとおり、本発明によれば、前記陰極４は、可逆電極として使用し、通常運転時においては、ガス発生電極として使用し、運転停止時の保護電流運転時においては、ガス電極として使用される。
【００４３】
尚、電解室以外の場所のガス置換が完全に行われたかを安全面から確認する水素センサーなどを設置することが好ましい。
更に、本発明によるオゾン発生装置の運転方法及びオゾン発生装置においては、置換に用いるガスや純水の流量を測定したり、流量測定値とバルブ開時間から置換に用いた流体の積算値を求めたり、電解室以外の配管等の経路中のガス置換の状況を確認するために経路中に酸素濃度や水素濃度を測定する測定器を設置することが好ましい。
【実施例】
【００４４】
次に、本発明の実施例及び比較例を説明する。但し、本発明は、これらの実施例に限定されるものではない。
【００４５】
＜実施例１＞
厚さ１ｍｍのチタン製びびり繊維焼結体（東京製綱（株）製）を中性洗剤にて洗浄し脱脂した後、２０質量％の５０℃塩酸溶液にて１分間酸洗して前処理を行い、次いでチタン製びびり繊維焼結体上に、白金−チタン−タンタル（２５−６０−１５モル％）からなる被覆を熱分解法により形成し表面に下地層を形成した陽極集電体又は陽極基体３とした。
該陽極集電体又は陽極基体３を陽極として、４００ｇ／Ｌの硝酸鉛水溶液を電解液にて、６０℃、１Ａ／ｄｍ2の条件で６０分間電解を行い、陽極触媒であるβ−二酸化鉛の被覆層よりなる陽極２を陽極集電体又は陽極基体３表面に形成した。
【００４６】
固体高分子電解質隔膜１としては、市販のパーフルオロスルホン酸型陽イオン交換膜（商品名：ナフィオン１１７、デュポン社製）を使用し、煮沸純水中に３０分間浸漬し、含水による膨潤処理を行った。
【００４７】
一方、ＰＴＦＥディスパージョン（三井デュポンフロロケミカル（株）  ３０−Ｊ）と、白金担持カーボン触媒を水に分散させた分散液を混合した後、乾燥させ、これにソルベントナフサを加えて混練した後、圧延工程と乾燥工程及び焼成工程を経て、ＰＴＦＥ４０質量％、白金担持カーボン触媒６０質量％で膜厚１２０μｍ、空隙率５５％の多孔質構造体よりなる陰極シートよりなる陰極４を得た。
【００４８】
これらと、厚さ２．５ｍｍの陰極集電体５であるステンレス繊維焼結体（東京製綱(株)製）を、陽極室６／陽極集電体３／β−二酸化鉛の被覆層よりなる陽極２／固体高分子電解質隔膜１／陰極シートよりなる陰極４／陰極集電体５／陰極室７の順にチタン製電解装置に組み込み、電解液である純水は、３０±５℃に保つように温度調整をしながら、純水電解（通常電解）を行ったところ、陽極からはオゾンと酸素の混合ガス、陰極からは水素ガスが生成し、陽極発生ガス中のオゾン濃度は１１．０体積％、陰極で発生して、固体高分子電解質隔膜１を透過して陽極ガス（オゾンガス）中に透過した水素ガスの水素ガス濃度は０．０５体積％、セル電圧３．３Ｖであった。電解条件は、電流密度１Ａ／ｃｍ2、電解液温度３０±５℃、電解有効面積は１ｄｍ2とした。
【００４９】
次に、電流密度を保護電流密度である０．０１Ａ／ｃｍ2に切り替えた後、陰極室に純水を供給して陰極室内の電解水及びガスを置換し、置換後、陰極室にエアポンプにて空気を０．５Ｌ／ｍｉｎで供給したところ、陽極発生ガス中の水素濃度は未検出、陰極室排出ガス中の水素濃度も未検出であった。セル電圧は０．５Ｖであった。
以下の実施例及び比較例における電解条件は、全て実施例１と同一とした。
【００５０】
＜実施例２＞
実施例１と同様に通常電解を実施した後、保護電流とし、陰極室内の電解水及びガスを純水にて置換し、置換後、陰極室にＰＳＡ濃縮による酸素（酸素濃度９６％）を０．３Ｌ／ｍｉｎで供給したところ、陽極発生ガス中の水素濃度は未検出、陰極室排出ガス中の水素濃度も未検出であった。セル電圧は０．４Ｖであった。
【００５１】
＜実施例３＞
実施例１と同様に通常電解を実施した後、保護電流とし、陰極室にエアポンプにて空気を０．５Ｌ／ｍｉｎで供給したところ、陰極室中の水が排出され、陽極発生ガス中の水素濃度は未検出、陰極室排出ガス中の水素濃度も未検出であった。セル電圧は０．５Ｖであった。
【００５２】
＜比較例１＞
実施例１と同様に通常電解を実施した後、保護電流とし放置したところ、陽極発生ガス中の水素濃度は１体積％、陰極室排出ガス中の水素濃度は１００体積％であった。セル電圧は２．２Ｖであった。
【００５３】
＜比較例２＞
実施例１と同様に通常電解を実施した後、保護電流とし、陰極室にエアポンプにて空気を０．５Ｌ／ｍｉｎで供給したところ、陰極室中の水が排出され、陽極発生ガス中の水素濃度は未検出、陰極室排出ガス中の水素濃度も未検出であった。セル電圧は０．５Ｖであった。エアポンプを停止し、放置したところ、３日後には陽極発生ガス中の水素濃度は０．８体積％であり、陰極室排出ガス中の水素濃度は１００体積％であった。セル電圧は２．０Ｖであった。
【産業上の利用可能性】
【００５４】
本発明によるオゾン発生装置の運転方法及びオゾン発生装置は、通常運転時においては、効率よくオゾンを発生することができるとともに、最も安全が問題となる保護電流運転時には、陰極では、水素ガスが発生しないため、陽極で発生するオゾンガスへの水素ガスの混入はなく、オゾンのガス純度が改善され、長期間安全に電解を行うことを可能にすることができるものである。
【符号の説明】
【００５５】
１：陽イオン交換膜からなる固体高分子電解質隔膜
２：陽極
３：陽極集電体又は陽極基体
４：陰極
５：陰極集電体又は陰極基体
６：陽極室
７：陰極室
８：電解セル
９、１０、１１、１３、１４、１５：パイプ
１２：気液分離装置
Ｖ１、Ｖ２、Ｖ３、Ｖ４：切替バルブ
Ｅ２：保護電流用直流電源
Ｅ１：通常電解用直流電源
Ｓ１：制御装置
【図１】
2010111942.tif 000003
【図２】
2010111942.tif 000004